【手続補正書】
【提出日】平成28年11月14日(2016.11.14)
【手続補正１】
【補正対象書類名】特許請求の範囲
【補正対象項目名】全文
【補正方法】変更
【補正の内容】
【特許請求の範囲】
【請求項１】
スイッチモード電力供給装置（ＳＭＰＳ）コントローラ内の電流モード制御と併用するためのスロープ補償モジュールであって、
前記ＳＭＰＳコントローラは、
出力を備える誤差増幅器と、
第１の入力を備える電圧コンパレータと
を備え、
前記スロープ補償モジュールは、
前記誤差増幅器の出力と前記電圧コンパレータの第１の入力との間に結合されたスロープ補償キャパシタと、
前記スロープ補償キャパシタと並列に結合されたスロープ補償スイッチと、
前記スロープ補償キャパシタの出力側および前記スロープ補償スイッチに結合されたプログラム可能定電流源と
を備え、
前記スロープ補償スイッチが開放されると、前記スロープ補償キャパシタは、前記定電流源を通して回路コモンに充電し、それによって、線形減少ランプ電圧を発生させる、スロープ補償モジュール。
【請求項２】
前記スロープ補償スイッチが閉鎖されると、前記スロープ補償キャパシタは、放電する、請求項１に記載のスロープ補償モジュール。
【請求項３】
前記スロープ補償スイッチは、単極双投スイッチであり、前記定電流源は、前記スロープ補償スイッチが第１の位置にあるとき、前記スロープ補償キャパシタの出力側から分断され、前記スロープ補償スイッチが第２の位置にあるとき、前記スロープ補償キャパシタの出力側に結合される、請求項１または２に記載のスロープ補償モジュール。
【請求項４】
前記線形減少ランプ電圧は、自動的に、フィードバックループ誤差電圧を調節するように適合されている、請求項１〜３のうちの１項に記載のスロープ補償モジュール。
【請求項５】
前記プログラム可能定電流源は、定電流デジタル／アナログコンバータ（ＩＤＡＣ）によって形成され、前記ＩＤＡＣは、ＩＤＡＣレジスタと結合されている、請求項１〜４のうちの１項に記載のスロープ補償モジュール。
【請求項６】
前記スロープ補償キャパシタは、所望の容量値に対してプログラム可能に選択可能な複数のスロープ補償キャパシタを備える、請求項１〜５のうちの１項に記載のスロープ補償モジュール。
【請求項７】
前記誤差増幅器の出力と前記スロープ補償キャパシタとの間に結合されたバッファ増幅器をさらに備える、請求項１〜６のうちの１項に記載のスロープ補償モジュール。
【請求項８】
請求項１〜７のうちの１項に記載のスロープ補償モジュールを備えるスイッチモード電力供給装置（ＳＭＰＳ）コントローラであって、前記ＳＭＰＳコントローラは、
前記誤差増幅器と結合された電圧基準であって、前記電圧コンパレータの第２の入力は、電流信号を測定する電流／電圧回路に結合するために適合されている、電圧基準と、
周期ジェネレータと、
リセット支配ラッチであって、前記リセット支配ラッチは、
前記周期ジェネレータの出力に結合された設定入力と、
前記電圧コンパレータの出力に結合されたリセット入力と、
前記スロープ補償スイッチに結合され、前記スロープ補償スイッチの開閉を制御する出力と
を備え、
前記リセット支配ラッチの出力はまた、制御信号を提供する、リセット支配ラッチと
をさらに備え、
前記周期ジェネレータは、あるパルス周期において、複数のパルスを前記リセット支配ラッチの設定入力に提供し、パルスが前記リセット支配ラッチの設定入力で受信される度に、前記リセット支配ラッチの出力は、第１の論理レベルから第２の論理レベルになり、
前記リセット支配ラッチの出力が前記第２の論理レベルにあるとき、前記スロープ補償スイッチは、開放し、前記スロープ補償キャパシタは、前記プログラム可能定電流源を通して回路コモンに充電し、それによって、前記誤差増幅器からのフィードバック誤差電圧をスロープ補償フィードバック誤差電圧に変調させるための線形減少ランプ電圧を発生させ、
前記電圧コンパレータの第１の入力に結合されている前記スロープ補償フィードバック誤差電圧が、前記電圧コンパレータの第２の入力におけるＳＭＰＳインダクタを通る電流を表す電圧未満であるとき、前記リセット支配ラッチの出力は、前記第１の論理レベルに戻り、前記スロープ補償スイッチは、閉鎖し、それによって、前記スロープ補償キャパシタを放電させ、前記電圧コンパレータの第１の入力を前記誤差増幅器からのフィードバック誤差電圧に戻す、ＳＭＰＳコントローラ。
【請求項９】
演算増幅器の出力と第２の入力との間に結合されたループ補償ネットワークをさらに備える、請求項８に記載のＳＭＰＳコントローラ。
【請求項１０】
前記ＳＭＰＳインダクタを通る電流を表す電圧は、電流／電圧センサを用いて発生される、請求項８に記載のＳＭＰＳコントローラ。
【請求項１１】
前記電流／電圧センサは、前記ＳＭＰＳインダクタの電流経路内の電流変圧器と、前記電流変圧器に結合された整流器ダイオードと、レジスタに結合された負荷レジスタとを備える、請求項１０に記載のＳＭＰＳコントローラ。
【請求項１２】
前記電流／電圧センサは、前記ＳＭＰＳインダクタの電流経路内のレジスタと、前記レジスタに結合されたダイオードとを備える、請求項１０に記載のＳＭＰＳコントローラ。
【請求項１３】
前記周期ジェネレータは、複数のパルス周期時間のうちの１つを選択するためにプログラム可能である、請求項８〜１２のうちの１項に記載のＳＭＰＳコントローラ。
【請求項１４】
前記スロープ補償スイッチは、金属酸化物半導体電界効果トランジスタ（ＭＯＳＦＥＴ）である、請求項８〜１３のうちの１項に記載のＳＭＰＳコントローラ。
【請求項１５】
前記リセット支配ラッチの出力と前記スロープ補償スイッチとの間に結合されたスロープ補償スイッチコントローラをさらに備え、前記スロープ補償スイッチコントローラは、前記スロープ補償スイッチのためのプログラム可能開放遅延を提供する、請求項８〜１４のうちの１項に記載のＳＭＰＳコントローラ。
【請求項１６】
前記スロープ補償スイッチコントローラが、前記スロープ補償スイッチのためのプログラム可能最小閉鎖時間を提供することをさらに含む、請求項１５に記載のＳＭＰＳコントローラ。
【請求項１７】
ＳＭＰＳフィルタキャパシタからの出力電圧は、抵抗分圧器を通して提供される、請求項８〜１６のうちの１項に記載のＳＭＰＳコントローラ。
【請求項１８】
前記定電流源は、前記ＳＭＰＳコントローラの試験の間、較正のために適合される、請求項８に記載のＳＭＰＳコントローラ。
【請求項１９】
前記スロープ補償キャパシタは、所望の容量値に対してプログラム可能に選択可能な複数のスロープ補償キャパシタである、請求項８に記載のＳＭＰＳコントローラ。
【請求項２０】
前記スロープ補償キャパシタは、前記ＳＭＰＳコントローラの試験の間、所望の容量値に対してプログラム可能に選択可能な複数のスロープ補償キャパシタである、請求項８に記載のＳＭＰＳコントローラ。
【請求項２１】
前記プログラム可能定電流源と前記周期ジェネレータとに結合されたデジタルプロセッサをさらに備え、前記デジタルプロセッサは、それぞれ、前記定電流源および前記周期ジェネレータに定電流値およびパルス周期時間を提供する、請求項８〜２０のうちの１項に記載のＳＭＰＳコントローラ。
【請求項２２】
前記ＳＭＰＳコントローラは、マイクロコントローラ中に埋め込まれている、請求項８〜１３のうちの１項に記載のＳＭＰＳコントローラ。
【請求項２３】
請求項１〜７のうちの１項に記載のスロープ補償モジュールを備えるスイッチモード電力供給装置（ＳＭＰＳ）コントローラ内にスロープ補償を提供するための方法であって、前記方法は、
基準電圧を提供するステップと、
前記基準電圧とＳＭＰＳフィルタキャパシタからの電圧との間の差異である誤差電圧を提供する前記誤差増幅器を用いて、前記基準電圧を前記ＳＭＰＳコントローラからのフィードバック電圧と比較するステップと、
前記スロープ補償キャパシタからのスロープ補償誤差電圧をＳＭＰＳインダクタ内で測定された電流の電圧表現と比較するステップと、
周期ジェネレータの出力に結合された設定入力と、前記電圧コンパレータの出力に結合されたリセット入力と、前記スロープ補償スイッチの開閉を制御し、制御信号を供給するための出力とを有するリセット支配ラッチを提供するステップと、
あるパルス周期において、前記周期ジェネレータから複数のパルスを前記リセット支配ラッチの設定入力に提供するステップであって、パルスが前記リセット支配ラッチの設定入力において受信される度に、前記リセット支配ラッチの出力は、第１の論理レベルから第２の論理レベルになる、ステップと、
前記リセット支配ラッチの出力が前記第２の論理レベルにあるとき、前記スロープ補償スイッチを開放するステップと、
前記誤差増幅器からのフィードバック誤差電圧をスロープ補償フィードバック誤差電圧に変調するための線形減少ランプ電圧を発生させるステップと、
前記スロープ補償誤差電圧が、前記ＳＭＰＳインダクタを通る電流を表す電圧未満であるとき、前記リセット支配ラッチの出力を前記第１の論理レベルに戻し、前記スロープ補償スイッチを閉鎖するステップと
を含む、方法。
【手続補正２】
【補正対象書類名】明細書
【補正対象項目名】００１４
【補正方法】変更
【補正の内容】
【００１４】
さらに別の実施形態によると、スイッチモード電力供給装置（ＳＭＰＳ）コントローラ内にスロープ補償を提供するための方法は、基準電圧を提供するステップと、基準電圧とＳＭＰＳフィルタキャパシタからの電圧との間の差異であり得る誤差電圧を提供し得る出力を有する演算増幅器を用いて、基準電圧とＳＭＰＳフィルタネットワークからの出力電圧を比較するステップと、演算増幅器の出力に結合されるスロープ補償キャパシタを提供するステップと、スロープ補償キャパシタと並列に結合されるスロープ補償スイッチを提供するステップと、スロープ補償キャパシタおよびスロープ補償スイッチに結合される定電流源を提供するステップと、スロープ補償キャパシタからのスロープ補償誤差電圧とＳＭＰＳインダクタ内で測定された電圧表現を比較するステップと、周期ジェネレータの出力に結合される設定入力と、電圧コンパレータの出力に結合されるリセット入力と、スロープ補償スイッチの開閉を制御し得、制御信号を供給するための出力とを有する、リセット支配ラッチを提供するステップと、あるパルス周期において、周期ジェネレータからの複数のパルスをリセット支配ラッチの設定入力に提供するステップであって、パルスが、リセット支配ラッチの設定入力において受信され得る度に、その出力は、第１の論理レベルから第２の論理レベルになり得る、ステップと、リセット支配ラッチの出力が第２の論理レベルにあり得るとき、スロープ補償スイッチを開放するステップと、演算増幅器からのフィードバック誤差電圧をスロープ補償フィードバック誤差電圧に変調するための線形減少（負スロープ）ランプ電圧を発生させるステップと、スロープ補償誤差電圧が、ＳＭＰＳインダクタを通る電流を表す電圧未満であり得るとき、リセット支配ラッチの出力を第１の論理レベルに戻し、スロープ補償スイッチを閉鎖するステップとを含んでもよい。
本願明細書は、例えば、以下の項目も提供する。
（項目１）
スイッチモード電力供給装置（ＳＭＰＳ）コントローラ内の電流モード制御と併用するためのスロープ補償モジュールであって、前記スロープ補償モジュールは、
入力と出力との間に結合されたスロープ補償キャパシタと、
前記スロープ補償キャパシタと並列に結合されたスロープ補償スイッチと、
前記スロープ補償キャパシタの出力側および前記スロープ補償スイッチに結合された定電流源と
を備え、
前記スロープ補償スイッチが開放されると、前記スロープ補償キャパシタは、定電流源を通して回路コモンに充電し、それによって、線形減少（負スロープ）ランプ電圧を発生させる、スロープ補償モジュール。
（項目２）
前記スロープ補償スイッチが閉鎖されると、前記スロープ補償キャパシタは、放電する、項目１に記載のスロープ補償モジュール。
（項目３）
前記定電流源は、前記スロープ補償スイッチが第１の位置にあるとき、前記スロープ補償キャパシタの出力側から分断され、前記スロープ補償スイッチが第２の位置にあるとき、前記スロープ補償キャパシタの出力側に結合される、項目１に記載のスロープ補償モジュール。
（項目４）
前記線形減少（負スロープ）ランプ電圧は、自動的に、フィードバックループ誤差電圧を調節するように適合されている、項目１に記載のスロープ補償モジュール。
（項目５）
前記定電流源は、複数の選択可能定電流値を有するプログラム可能定電流源を備える、項目１に記載のスロープ補償モジュール。
（項目６）
前記スロープ補償キャパシタは、所望の容量値に対してプログラム可能に選択可能な複数のスロープ補償キャパシタを備える、項目１に記載のスロープ補償モジュール。
（項目７）
スロープ補償モジュールを有するスイッチモード電力供給装置（ＳＭＰＳ）コントローラであって、前記ＳＭＰＳコントローラは、
電圧基準と、
前記電圧基準に結合された第１の入力と、ＳＭＰＳフィルタキャパシタからの出力電圧に結合するために適合された第２の入力とを有する演算増幅器と、
前記演算増幅器の出力に結合された入力と、出力とを有するスロープ補償モジュールであって、前記スロープ補償モジュールは、
前記スロープ補償モジュールの入力と出力との間に結合されたスロープ補償キャパシタと、
前記スロープ補償キャパシタと並列に結合されたスロープ補償スイッチと、
前記スロープ補償キャパシタの出力側に結合された定電流源と、
を備える、スロープ補償モジュールと、
電圧コンパレータであって、前記電圧コンパレータは、
前記スロープ補償モジュールの出力に結合された第１の入力と、
電流信号を測定する電流／電圧回路に結合するために適合された第２の入力と、
を有する、電圧コンパレータと、
周期ジェネレータと、
リセット支配ラッチであって、前記リセット支配ラッチは、
前記周期ジェネレータの出力に結合された設定入力と、
前記電圧コンパレータの出力に結合されたリセット入力と、
前記スロープ補償スイッチに結合され、前記スロープ補償スイッチの開閉を制御する出力と、
を備え、
前記リセット支配ラッチの出力はまた、制御信号を提供する、リセット支配ラッチと
を備え、
前記周期ジェネレータは、あるパルス周期において、複数のパルスを前記リセット支配ラッチの設定入力に提供し、パルスが前記リセット支配ラッチの設定入力で受信される度に、前記リセット支配ラッチの出力は、第１の論理レベルから第２の論理レベルになり、
前記リセット支配ラッチの出力が前記第２の論理レベルにあるとき、前記スロープ補償スイッチは、開放し、前記スロープ補償キャパシタは、定電流源を通して回路コモンに充電し、それによって、前記演算増幅器からのフィードバック誤差電圧をスロープ補償フィードバック誤差電圧に変調させるための線形減少（負スロープ）ランプ電圧を発生させ、
前記電圧コンパレータの第１の入力に結合されている前記スロープ補償フィードバック誤差電圧が、前記電圧コンパレータの第２の入力におけるＳＭＰＳインダクタを通る電流を表す電圧未満であるとき、前記リセット支配ラッチの出力は、前記第１の論理レベルに戻り、前記スロープ補償スイッチは、閉鎖し、それによって、前記スロープ補償キャパシタを放電させ、前記電圧コンパレータの第１の入力を前記演算増幅器からのフィードバック誤差電圧に戻す、ＳＭＰＳコントローラ。
（項目８）
前記定電流源は、複数の選択可能定電流値を有するプログラム可能定電流源である、項目７に記載のＳＭＰＳコントローラ。
（項目９）
前記演算増幅器の出力と前記スロープ補償キャパシタおよびスイッチとの間に結合されたバッファ増幅器をさらに備える、項目７に記載のＳＭＰＳコントローラ。
（項目１０）
前記演算増幅器の出力と第２の入力との間に結合されたループ補償ネットワークをさらに備える、項目７に記載のＳＭＰＳコントローラ。
（項目１１）
前記ＳＭＰＳインダクタを通る電流を表す電圧は、電流／電圧センサを用いて発生される、項目７に記載のＳＭＰＳコントローラ。
（項目１２）
前記電流／電圧センサは、前記ＳＭＰＳインダクタの電流経路内の電流変圧器と、前記電流変圧器に結合された整流器ダイオードと、前記レジスタに結合された負荷レジスタとを備える、項目１１に記載のＳＭＰＳコントローラ。
（項目１３）
前記電流／電圧センサは、前記ＳＭＰＳインダクタの電流経路内のレジスタと、前記レジスタに結合されたダイオードとを備える、項目１１に記載のＳＭＰＳコントローラ。
（項目１４）
前記周期ジェネレータは、複数のパルス周期時間のうちの１つを選択するためにプログラム可能である、項目７に記載のＳＭＰＳコントローラ。
（項目１５）
前記スロープ補償スイッチは、金属酸化物半導体電界効果トランジスタ（ＭＯＳＦＥＴ）である、項目７に記載のＳＭＰＳコントローラ。
（項目１６）
前記リセット支配ラッチの出力と前記スロープ補償スイッチとの間に結合されたスロープ補償スイッチコントローラをさらに備え、前記スロープ補償スイッチコントローラは、前記スロープ補償スイッチのためのプログラム可能開放遅延を提供する、項目７に記載のＳＭＰＳコントローラ。
（項目１７）
前記スロープ補償スイッチコントローラが、前記スロープ補償スイッチのためのプログラム可能最小閉鎖時間を提供することをさらに含む、項目１６に記載のＳＭＰＳコントローラ。
（項目１８）
前記ＳＭＰＳフィルタキャパシタからの出力電圧は、抵抗分圧器を通して提供される、項目７に記載のＳＭＰＳコントローラ。
（項目１９）
前記定電流源は、前記ＳＭＰＳコントローラの試験の間、較正のために適合される、項目７に記載のＳＭＰＳコントローラ。
（項目２０）
前記スロープ補償キャパシタは、所望の容量値に対してプログラム可能に選択可能な複数のスロープ補償キャパシタである、項目７に記載のＳＭＰＳコントローラ。
（項目２１）
前記スロープ補償キャパシタは、前記ＳＭＰＳコントローラの試験の間、所望の容量値に対してプログラム可能に選択可能な複数のスロープ補償キャパシタである、項目７に記載のＳＭＰＳコントローラ。
（項目２２）
プログラム可能な前記定電流源とプログラム可能な前記周期ジェネレータとに結合されたデジタルプロセッサをさらに備え、前記デジタルプロセッサは、それぞれ、前記定電流源および前記周期ジェネレータに定電流値およびパルス周期時間を提供する、項目７に記載のＳＭＰＳコントローラ。
（項目２３）
前記ＳＭＰＳコントローラは、マイクロコントローラを備える、項目７に記載のＳＭＰＳコントローラ。
（項目２４）
前記定電流源は、前記スロープ補償スイッチを用いて、前記スロープ補償キャパシタの出力側に結合されている、項目７に記載のＳＭＰＳコントローラ。
（項目２５）
前記定電流源は、前記スロープ補償スイッチが第１の位置にあるとき、前記スロープ補償キャパシタの出力側から分断され、前記スロープ補償スイッチが第２の位置にあるとき、前記スロープ補償キャパシタの出力側に結合される、項目７に記載のＳＭＰＳコントローラ。
（項目２６）
アナログパルス幅変調（ＰＷＭ）ジェネレータであって、前記アナログＰＷＭジェネレータは、
第１の電圧基準に結合された入力を有するキャパシタと、
前記キャパシタの入力および出力と並列に結合されたスイッチと、
前記キャパシタの出力に結合された定電流源と、
前記キャパシタの出力に結合された第１の入力と、第２の電圧基準に結合された第２の入力と、前記スイッチの開閉を制御する出力とを有する第１の電圧コンパレータと、
前記キャパシタの出力に結合された第１の入力と、スイッチモード電力供給装置（ＳＭＰＳ）からの電圧に結合するために適合された第２の入力と、スイッチモード電力供給装置の電源スイッチを制御するためのパルス幅変調（ＰＷＭ）制御信号を提供する出力とを有する第２の電圧コンパレータと
を備え、
前記キャパシタの出力における電圧が、前記第１の電圧基準からの電圧未満であるとき、前記スイッチは、開放し、それによって、前記キャパシタおよび前記定電流源は、線形負スロープ電圧波形を用いて、前記第１の電圧基準からの電圧を変調させ、
前記第１の電圧基準と前記第２の電圧基準との間の電圧差は、前記ＰＷＭ制御信号の周期を判定し、前記ＳＭＰＳからの電圧と前記キャパシタの第２のノードにおける電圧との間の電圧差は、前記ＰＷＭ制御信号のデューティサイクルを判定する、アナログＰＷＭジェネレータ。
（項目２７）
前記定電流源は、複数の選択可能定電流値を有するプログラム可能定電流源である、項目２６に記載のアナログＰＷＭジェネレータ。
（項目２８）
前記キャパシタは、所望の容量値に対してプログラム可能に選択可能な複数のキャパシタである、項目２６に記載のアナログＰＷＭジェネレータ。
（項目２９）
前記第１の電圧基準は、デジタル／アナログコンバータ（ＤＡＣ）であり、プログラム可能な第１の基準電圧値を提供する、項目２６に記載のアナログＰＷＭジェネレータ。
（項目３０）
前記第１の電圧基準は、固定されている、項目２６に記載のアナログＰＷＭジェネレータ。
（項目３１）
前記第１の電圧基準は、変調波形信号である、項目２６に記載のアナログＰＷＭジェネレータ。
（項目３２）
前記第１の電圧基準の出力と前記キャパシタの入力との間に結合されたバッファ増幅器をさらに備える、項目２６に記載のアナログＰＷＭジェネレータ。
（項目３３）
前記定電流源は、前記スイッチが第１の位置にあるとき、前記キャパシタの出力から分断され、前記スイッチが第２の位置にあるとき、前記キャパシタの出力に結合される、項目２６に記載のアナログＰＷＭジェネレータ。
（項目３４）
スイッチモード電力供給装置（ＳＭＰＳ）コントローラ内にスロープ補償を提供するための方法であって、前記方法は、
基準電圧を提供するステップと、
前記基準電圧とＳＭＰＳフィルタキャパシタからの電圧との間の差異である誤差電圧を提供する出力を有する演算増幅器を用いて、前記基準電圧とＳＭＰＳフィルタネットワークからの出力電圧を比較するステップと、
前記演算増幅器の出力に結合されたスロープ補償キャパシタを提供するステップと、
前記スロープ補償キャパシタと並列に結合されたスロープ補償スイッチを提供するステップと、
前記スロープ補償キャパシタおよび前記スロープ補償スイッチに結合された定電流源を提供するステップと、
前記スロープ補償キャパシタからのスロープ補償誤差電圧とＳＭＰＳインダクタ内で測定された電流の電圧表現を比較するステップと、
周期ジェネレータの出力に結合された設定入力と、前記電圧コンパレータの出力に結合されたリセット入力と、前記スロープ補償スイッチの開閉を制御し、制御信号を供給するための出力とを有するリセット支配ラッチを提供するステップと、
あるパルス周期において、周期ジェネレータから複数のパルスを前記リセット支配ラッチの設定入力に提供するステップであって、パルスが前記リセット支配ラッチの設定入力において受信される度に、前記リセット支配ラッチの出力は、第１の論理レベルから第２の論理レベルになる、ステップと、
前記リセット支配ラッチの出力が前記第２の論理レベルにあるとき、前記スロープ補償スイッチを開放するステップと、
前記演算増幅器からのフィードバック誤差電圧をスロープ補償フィードバック誤差電圧に変調するための線形減少（負スロープ）ランプ電圧を発生させるステップと、
前記スロープ補償誤差電圧が、前記ＳＭＰＳインダクタを通る電流を表す電圧未満であるとき、前記リセット支配ラッチの出力を前記第１の論理レベルに戻し、前記スロープ補償スイッチを閉鎖するステップと
を含む、方法。